【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
１本以上のＤＳＬ回線を含む第１のＤＳＬ（デジタル加入者線）回線セットの動作を制御する方法であって、
１本以上のＤＳＬ回線を含む制御ＤＳＬ回線セットを提供するステップと、
前記制御ＤＳＬ回線セットのサブセット内の、制御パラメータベクトルの第１の値を使用して、前記制御ＤＳＬ回線セットを動作させるステップと、
前記制御ＤＳＬ回線セットの前記サブセット内の前記制御パラメータベクトルの前記第１の値を使用した、前記制御ＤＳＬ回線セットの動作に関する動作データを収集するステップと、
前記収集された動作データを解析するステップと、
前記解析された収集された動作データに応じて、前記第１のＤＳＬ回線セットのうちの少なくとも１本の回線の、少なくとも１つの制御パラメータの値を調整するステップとを含む、方法。
【請求項２】
前記制御ＤＳＬ回線セットの前記サブセットは、前記ＤＳＬ回線セットを含む、請求項１に記載の方法。
【請求項３】
前記制御パラメータベクトルの前記値は、１つ以上の制御パラメータを含む、請求項１に記載の方法。
【請求項４】
前記制御ＤＳＬ回線セットの前記サブセット内の、前記制御パラメータベクトルの第２の値を使用して、前記制御ＤＳＬ回線セットを動作させるステップと、
前記制御ＤＳＬ回線セットの前記サブセット内の前記制御パラメータベクトルの前記第２の値を使用した、前記制御ＤＳＬ回線セットの動作に関する動作データを収集するステップとをさらに含む、請求項１に記載の方法。
【請求項５】
前記収集された動作データを解析するステップは、前記収集された動作データを、前記第１のＤＳＬ回線セットに関する履歴動作データ、および前記制御ＤＳＬ回線セットに関する履歴動作データ、のうちの少なくとも１つと比較するステップを含む、請求項１に記載の方法。
【請求項６】
前記制御ＤＳＬ回線セットは、複数の回線であって、前記第１のＤＳＬ回線セットと前記制御ＤＳＬ回線セットとは１本以上のＤＳＬ回線を共有する回線、前記第１のＤＳＬ回線セット、第１のＤＳＬバインダ内の第２のＤＳＬ回線セットであって、前記第１のＤＳＬ回線セットも前記第１のＤＳＬバインダ内にあるＤＳＬ回線セット、第２のＤＳＬバインダ内の第２のＤＳＬ回線セットであって、前記第１のＤＳＬ回線セットは前記第１のＤＳＬバインダ内にあるＤＳＬ回線セット、および前記第１のＤＳＬ回線セットのサブセット、のうちの少なくとも１つである、請求項１に記載の方法。
【請求項７】
前記第１のＤＳＬ回線セットから動作データを収集するステップをさらに含む、請求項１に記載の方法。
【請求項８】
前記収集された動作データを解析するステップは、
パフォーマンス測定基準を定義するステップと、
前記パフォーマンス測定基準の、前記制御パラメータベクトルに関する勾配を評価するステップと、
前記評価された勾配に応じて、前記制御パラメータベクトルの値を更新するステップとを含む、請求項１に記載の方法。
【請求項９】
前記収集された動作データを解析するステップは、
前記収集された動作データを複数のクラスタに分類するステップと、
前記複数のクラスタ内の各クラスタについて、パフォーマンス測定基準を評価するステップと、
第１のクラスタを、前記第１のクラスタの前記パフォーマンス測定基準の前記評価に基づいて選択するステップと、
前記制御ＤＳＬ回線セットの前記制御パラメータベクトルの値を、前記選択されたクラスタの制御パラメータベクトル値に一致するように更新するステップとを含む、請求項１に記載の方法。
【請求項１０】
前記制御パラメータベクトルは、ターゲットノイズマージン（ＴＡＲＳＮＲＭ）、最大ノイズマージン（ＭＡＸＳＮＲＭ）、ＭＥＳｆＳＮＲＭ、最小ノイズマージン（ＭＩＮＳＮＲＭ）、搬送波マスク（ＣＡＲＭＡＳＫ）、電力スペクトル密度マスク（ＰＳＤＭＡＳＫ）、最大転送電力、最大遅延、最小ＩＮＰ（Ｍｉｎｉｍｕｍ  ｉｍｐｕｌｓｅ  ｎｏｉｓｅ  ｐｒｏｔｅｃｔｉｏｎ）、トレリスコーディングのオン／オフ、パイロット信号のオン／オフ、最大データレート、最小データレート、ＢＣＡＰ［ｎ］（ｂｉｔ  ｃａｐ  ｐｅｒ  ｔｏｎｅ）、最大遅延を決定するために使用されるＣＶ（コード違反）カウント閾値、最小ＩＮＰを決定するために使用されるＣＶカウント閾値、最大遅延を決定するために使用されるＦＥＣ（前方誤り訂正）カウント閾値、および最小ＩＮＰを決定するために使用されるＦＥＣカウント閾値、のうち少なくとも１つのパラメータを含む、請求項１に記載の方法。
【請求項１１】
前記動作データは、平均減衰測定値、ビット分布、転送電力レベル、報告される現在のデータレート、報告される最大達成可能データレート、報告されるエラー訂正パリティ、報告されるトレリスコードの使用、チャネル挿入損失、チャネルゲイン、チャネルフェーズ、ＦＥＣコード設定、最近の時間間隔内に発生しているビットスワップの総数、ＦＥＣエラー、コード違反、エラー秒数、ノイズ電力、ピーク対平均ノイズ電力比、クワイエット回線ノイズレベル、アクティブ回線ノイズレベル、ＡＴＭ（非同期転送モード）またはその他のプロトコルセルのカウント、上位レベルプロトコルスループット、リトレインカウント、失敗した同期化の試みのカウント、報告される搬送波マスク、および報告されるトーンシェーピングパラメータ、のうち少なくとも１つのパラメータを含む、請求項１に記載の方法。
【請求項１２】
前記動作データを収集するステップ、または前記動作データを解析するステップ、のうちの１つは、前記動作データに重み付け係数を適用するステップを含む、請求項１に記載の方法。
【請求項１３】
前記制御ＤＳＬ回線セットの動作に関する動作データを収集するステップは、データ適時性規則、またはデータ十分性規則、のうちの少なくとも１つへの適合を検査するステップを含む、請求項１に記載の方法。
【請求項１４】
前記第１のＤＳＬ回線セットのうち少なくとも１本の回線における回線問題を検出するステップをさらに含み、前記回線問題を検出するステップは、
前記回線問題を有することが知られている第２のＤＳＬ回線セットについての動作データを収集するステップと、
前記回線問題を有さないことが知られている第３のＤＳＬ回線セットについての動作データを収集するステップと、
前記第２のＤＳＬ回線セットから収集された前記動作データを、前記第３のＤＳＬ回線セットから収集された前記動作データと比較するステップと、
前記第２の回線セットおよび前記第３の回線セットについてのいずれの動作データが前記回線問題の存在を示すかを判定するステップと、
前記第１のＤＳＬ回線セットのうちの少なくとも１本の回線の動作データおよび前記回線問題の存在を示すと判定された動作データに基づいて、前記少なくとも１本の回線を回線問題を有すると識別するステップと、
を含む、請求項１に記載の方法。
【請求項１５】
マシン読み取り可能な媒体と、
前記マシン読み取り可能な媒体内に含まれたプログラム命令とを含むコンピュータプログラムプロダクトであって、前記プログラム命令は、１本以上のＤＳＬ回線を含む第１のＤＳＬ回線セットの動作を制御する方法を指定し、前記方法は、
１本以上のＤＳＬ回線を含む制御ＤＳＬ回線セットを提供するステップと、
前記制御ＤＳＬ回線セットのサブセット内の、制御パラメータベクトルの第１の値を使用して、前記制御ＤＳＬ回線セットを動作させるステップと、
前記制御ＤＳＬ回線セットの前記サブセット内の前記制御パラメータベクトルの前記第１の値を使用した、前記制御ＤＳＬ回線セットの動作に関する動作データを収集するステップと、
前記収集された動作データを解析するステップと、
前記解析された収集された動作データに応じて、前記第１のＤＳＬ回線セットのうちの少なくとも１本の回線の、少なくとも１つの制御パラメータの値を調整するステップとを含む、コンピュータプログラムプロダクト。
【請求項１６】
前記プログラム命令は、前記第１のＤＳＬ回線セットのうち少なくとも１本の回線における回線問題を検出する方法をさらに指定し、前記方法は、
前記回線問題を有することが知られている第２のＤＳＬ回線セットについての動作データを収集するステップと、
前記回線問題を有さないことが知られている第３のＤＳＬ回線セットについての動作データを収集するステップと、
前記第２のＤＳＬ回線セットから収集された前記動作データを、前記第３のＤＳＬ回線セットから収集された前記動作データと比較するステップと、
前記第２の回線セットおよび前記第３の回線セットについてのいずれの動作データが前記回線問題の存在を示すかを判定するステップと、
前記第１のＤＳＬ回線セットのうちの少なくとも１本の回線の動作データおよび前記回線問題の存在を示すと判定された動作データに基づいて、前記少なくとも１本の回線を回線問題を有すると識別するステップと、
を含む、請求項１５に記載のコンピュータプロダクト。
【請求項１７】
第１のＤＳＬ回線セットから、および制御ＤＳＬ回線セットから、動作データを収集する収集ユニットと、
前記収集ユニットに結合された解析ユニットであって、
前記制御ＤＳＬ回線セットを選択し、
前記第１のＤＳＬ回線セットからの、および前記制御ＤＳＬ回線セットからの、前記収集された動作データを解析し、
制御パラメータベクトル値を使用して、前記制御ＤＳＬ回線セットの動作を評価する解析ユニットと、
前記解析ユニットに結合された制御信号発生器であって、前記収集された動作データの前記解析に基づいて、
前記第１のＤＳＬ回線セット内の少なくとも１本のＤＳＬ回線の制御パラメータベクトル値、または、
前記制御ＤＳＬ回線セット内の少なくとも１本のＤＳＬ回線の前記制御パラメータベクトル値、のうちの１つに変更を適用する制御信号発生器と
を含むコントローラであって、
前記第１のＤＳＬ回線セットおよび前記制御ＤＳＬ回線セットに関する情報を学習し、
１つ以上の所望の動作結果を達成するために、前記第１のＤＳＬ回線セットの動作を調整する、コントローラ。
【請求項１８】
前記解析ユニットは、前記制御ＤＳＬ回線セットを、
前記第１のＤＳＬ回線セットと同じであるか、
複数の回線であって、前記第１のＤＳＬ回線セットと前記制御ＤＳＬ回線セットとは１本以上のＤＳＬ回線を共有する回線であるか、
第１のＤＳＬバインダ内の第２のＤＳＬ回線セットであって、前記第１のＤＳＬ回線セットも前記第１のＤＳＬバインダ内にある回線セットであるか、
前記第１のＤＳＬ回線セットのサブセットであるか、または、
第２のＤＳＬバインダ内の第２のＤＳＬ回線セットであって、前記第１のＤＳＬ回線セットは前記第１のＤＳＬバインダ内にある回線セットであるか、
のいずれか１つであるように選択する、請求項１７に記載のコントローラ。
【請求項１９】
前記コントローラは、さらに、
パフォーマンス測定基準を定義し、
前記パフォーマンス測定基準の、前記制御パラメータベクトルに関する勾配を評価し、
前記評価された勾配の方向に、前記制御パラメータベクトルの値を更新する、請求項１７に記載のコントローラ。
【請求項２０】
前記コントローラは、さらに、
前記収集された動作データを複数のクラスタに分類し、
前記複数のクラスタ内の各クラスタについて、パフォーマンス測定基準を評価し、
第１のクラスタを、前記第１のクラスタの前記パフォーマンス測定基準の前記評価に基づいて選択し、
前記第１のＤＳＬ回線セットの制御パラメータベクトル値を、前記選択されたクラスタの制御パラメータベクトル値に一致するように更新する、請求項１７に記載のコントローラ。
【請求項２１】
前記収集ユニットまたは前記解析ユニットは、前記収集された動作データに重み付け係数を適用する、請求項１７に記載のコントローラ。
【請求項２２】
前記収集ユニットは、データ適時性規則、またはデータ十分性規則、のうちの少なくとも１つへの適合を検査する、請求項１７に記載のコントローラ。
【請求項２３】
前記回線問題を有することが知られている第２のＤＳＬ回線セットについての動作データを収集し、かつ前記回線問題を有さないことが知られている第３のＤＳＬ回線セットについての動作データを収集する前記収集ユニットと、
前記解析ユニットであって、
前記第２のＤＳＬ回線セットから収集された前記動作データを、前記第３のＤＳＬ回線セットから収集された前記動作データと比較し、
前記第２の回線セットおよび前記第３の回線セットについてのいずれの動作データが前記回線問題の存在を示すかを判定し、かつ
前記第１のＤＳＬ回線セットのうちの少なくとも１本の回線の動作データおよび前記回線問題の存在を示すと判定された動作データに基づいて、前記少なくとも１本の回線を回線問題を有すると識別する解析ユニットと、
をさらに含む、請求項１７に記載のコントローラ。